(57)【要約】【課題】簡単な構造で防水性能を高めることにより誤動作を防止することのできるグリップ式操作ハンドルの提供を目的とする。【解決手段】表裏カバー１、２を連結して形成され、中空部３の壁面に静電容量センサ４の絶縁被覆電極５を配置したグリップ式操作ハンドルであって、  前記表裏カバー１、２の連結境界面には、長手方向端部が外部に開放されたシール用細管部６が長手通しに形成されるとともに、  中空部３には、前記シール用細管部６に比して大きな断面積を有する中央排水路７が長手方向端部を外部に開放させて長手通しに形成され、  かつ、シール用細管部６は、中空部３における電極配置面の対向壁面近傍に配置して構成する。【選択図】  図２
2010100993.tif 000002
【特許請求の範囲】
【請求項１】
表裏カバーを連結して形成され、中空部の壁面に静電容量センサの絶縁被覆電極を配置したグリップ式操作ハンドルであって、
前記絶縁被覆電極が配置される領域における前記表裏カバーの連結境界面には、長手方向端部が外部に開放されたシール用細管部が長手通しに形成されるとともに、
中空部には、前記シール用細管部に比して大きな断面積を有する中央排水路が長手方向端部を外部に開放させて長手通しに形成され、
かつ、シール用細管部は、中空部における電極配置面の対向壁面近傍に配置されるグリップ式操作ハンドル。
【請求項２】
前記絶縁被覆電極は、表裏いずれかのカバーに凹設され、絶縁被覆電極の厚みにほぼ等しい深さの電極装着溝に嵌合される請求項１記載のグリップ式操作ハンドル。
【請求項３】
利用者の所持するＩＤ発信装置と交信するアンテナを有し、
前記アンテナは、絶縁被覆電極上に積層、固定されて該絶縁被覆電極を覆う請求項２記載のグリップ式操作ハンドル。
【請求項４】
前記静電容量センサは、底壁の両側縁から側壁を立ち上げて断面Ｕ字形状をなし、表カバーに形成される嵌合凹部に嵌合されるＵ字断面部の底壁内壁に配置されるとともに、
前記シール用細管部が裏カバーの側壁上端部に形成される請求項１、２または３記載のグリップ式操作ハンドル。
【請求項５】
前記シール用細管部は裏カバーの側壁頂面上方を表カバーにより囲って形成されるとともに、
表カバーから突設され、シール用細管部の内側内壁を形成する細管形成用突条の先端を表カバーに形成された段差部に係止させてシール用係合部が形成される請求項４記載のグリップ式操作ハンドル。
【発明の詳細な説明】
【技術分野】
【０００１】
本発明は、グリップ式ハンドル装置の操作部として使用されるグリップ式操作ハンドルに関するものである。
【背景技術】
【０００２】
グリップ式ハンドル装置に使用されるグリップ式操作ハンドルとしては、特許第４１０４４９６号公報に記載されたものが知られている。この従来例において、操作ハンドルはハンドル本体（裏カバー）とカバー（表カバー）とを表裏に連結して形成される中空部に静電容量センサを収容して形成される。
【特許文献１】特許第４１０４４９６号公報
【発明の開示】
【発明が解決しようとする課題】
【０００３】
しかし、上述した従来例において、表裏カバー間のシール状態は表裏カバーの接触状態によってのみ決定されるために、降雨時、あるいは洗車時における中空部内への浸水量が多いという問題がある。静電容量センサには防水、絶縁処理が施されているために、漏水による回路短絡等の不具合が発生することはないが、静電容量センサは電極周囲の容量の影響を受けるために漏水による誤動作の虞がある。
【０００４】
漏水による静電容量センサの誤動作を防止するためには、従来例のように、水滴等の影響がある範囲を絶縁体により覆って水滴の侵入を規制することも有効であるが、この場合には、電極の容積が過大になり、中空部の有効利用ができないという問題がある。
【０００５】
本発明は、以上の欠点を解消すべくなされたものであって、簡単な構造で防水性能を高めることにより誤動作を防止することのできるグリップ式操作ハンドルの提供を目的とする。
【課題を解決するための手段】
【０００６】
グリップ式操作ハンドルは、長手方向端部を支点として回転操作することによりドアの開閉操作を行うグリップ式ハンドル装置の操作部材として使用され、表裏カバー１、２を連結して中空状に形成される。操作ハンドルへの操作を検出するために、操作ハンドルの中空部３には、絶縁被覆電極５を備えた静電容量センサ４が格納される。
【０００７】
中空部３への浸水量を減少させ、浸水による静電容量センサ４の誤動作を防止するために、表裏カバー１、２の連結境界面にはシール用細管部６が長手通しに形成される。シール用細管部は、少なくとも絶縁被覆電極５が配置される領域において中空部３から隔離され、長手方向端部から操作ハンドル外部に開放される。
【０００８】
このシール用細管部６は、表裏カバー１、２の連結界面からの浸水に対して外部に対する開放端を排水口とするダムとして機能して中空部３への浸水を規制するもので、連結界面からの少量の浸水量により内部が閉塞する程度の小さな断面積に形成される。小断面積で、かつ、端部が開放されたシール用細管部６には、該シール用細管部６に入った水の毛細管現象による開放端方向への流れの発生、あるいは侵入水による管内の閉塞による管内への残留空気の存在による浸水量の低減効果が期待できる。このシール用細管部６の断面積は、表裏カバー１、２の連結界面の接触状態、接触長等により決定される防水性能を考慮して実験的に決定され、より詳しくは、シール用細管部６のシール効果に対する有意的な差が認められる値に決定される。
【０００９】
以上のように上記シール用細管部６は、中空部３への浸水を制限するものであるが、完全に規制するものではなく、中空部３への浸水は避けられない。この点を考慮して、中空部３には端部が外部に開放された中央排水路７が形成される。中央排水路７は、実質的に中空部３に絶縁被覆電極５等を格納した残余のスペースとして構成され、各部品は、長手方向への連続性、表面の平坦性、経路の直進性等、中央排水路７が排水路として良好に機能するように配置される。
【００１０】
また、中央排水路７は、侵入した水が速やかに外部に流出するように、シール用細管部６に比して大きな断面積を有して形成される。中央排水部の断面積は、上記シール用細管部６とは異なり、シール用細管部６において管内が閉塞される程度の少量の水によっては管内が閉塞しない程度の大きさになるように設定される。
【００１１】
したがって、降雨時等において表裏カバー１、２の連結界面から侵入した水は、まずシール用細管部６においてブロックされ、一部が中央排水路７に侵入する。断面積の大きな中央排水路７に侵入した水は、管路内壁面で水膜、水滴を形成して移動性が確保されるために、振動等により直ちに排水口から外部に流出する。
【００１２】
また、雨がやんでシール用細管部６、および中央排水路７への水の侵入が停止すると、中央排水路７では十分なスペースが存在しているために、侵入した水は早い時期に蒸発して消失する。これに対し、シール用細管部６では、水により閉塞された気相への蒸発速度は遅く、さらに表面張力による管壁への付着により開放端側への移動速度も規制される。このため、シール用細管部６での水の消失速度は中央排水路７に比して遅くなり、静電容量センサ４の検出に対する悪影響因子となる。
【００１３】
本発明は、簡易な防水手段として有効ではあるが、浸入した際には水はけが悪いシール用細管部６を中空部３における電極配置面の対向壁面近傍に配置するとともに、シール用細管部６に比して水切れの良好な中央排水路７を絶縁被覆電極５の周辺に配置することによって中空部３への浸水量を低減させ、同時に浸水時の静電容量センサ４への影響も可及的に低減させる。
【発明の効果】
【００１４】
本発明によれば、簡単な構造で防水性能を高めることにより静電容量センサの誤動作を防止することができる。
【発明を実施するための最良の形態】
【００１５】
図１に車両のアウトサイドハンドルとして構成された本発明の実施の形態を示す。アウトサイドハンドルは、図外のハンドル取付部品を使用して図１（ａ）において左側を車両前方に向けた水平姿勢でドアに連結される。アウトサイドハンドルのドア１６への連結は、アウトサイドハンドルの長手方向一端に形成されたヒンジ舌片１７を水平回転自在に軸支して行われる。
【００１６】
ドア１６はドアロック装置１８を車体に係止させることにより閉塞状態を維持しており、アウトサイドハンドルを図１（ｂ）において矢印で示すように、他端を表面側（本明細書において、車両への取付姿勢を基準に「前後」、「表裏」を決定する。）に引き出すように回転させると、ドアロック装置１８の係止が解除されてドア１６を開放することができる。アウトサイドハンドルの他端には操作突部１９が形成され、ドア１６への回転操作に伴う操作突部１９の移動は図外の変換機構を使用してケーブル等の伝達手段２０に伝達され、ドアロック装置１８が操作される。
【００１７】
また、後述するように、アウトサイドハンドルの中空部３には、アンテナ９、静電容量センサ４、および押しボタンスイッチ２１が格納されており、これらアンテナ９等に連結される外部接続用のハーネス２２が、前方からアウトサイドハンドル外部に引き出されて車体に搭載されたコントローラ（図示せず）に接続される。
【００１８】
図２以下に示すように、アウトサイドハンドルは、ドア１６に取り付けた状態で正面視における外表面形状を提供する表カバー１と、操作時の手掛け部を提供する裏カバー２とを連結して形成される。表裏カバー１、２は、軽量化とともにアンテナ９を使用した交信を可能にするために、合成樹脂材により形成される。
【００１９】
上記裏カバー２は、底壁１０の幅方向両側縁から側壁１１を立ち上げて表面側に開放するＵ字断面形状を形成したＵ字断面部１３を有する。この実施の形態においてＵ字断面部１３は、裏カバー２の全長にわたって形成され、後端に表カバー１への係止突起２ａが突設されるとともに、前端に表カバー１への連結ネジ２３の頭部２３ａを受ける座面２４ａを備えたネジ挿通孔２４が開設される（図２（ａ）参照）。また、裏カバー２の前後端部裏面中央部には、利用者によるグリップ領域を区画するためのＶ字状突部２ｂが突設されるとともに、グリップ領域にほぼ一致してセンサ収容領域２５が表面に設定される。
【００２０】
上記センサ収容領域２５には、後述する絶縁被覆電極５の厚さ寸法とほぼ同一の深さを有し、幅寸法がほぼ等しい電極装着溝８が底壁１０の表面に凹設される。また、センサ収容領域２５の範囲にほぼ対応して側壁１１の内壁面には段差部１５が形成され、さらに、センサ収容領域２５の両端からやや外側に排水口２ｃが開設される。排水口２ｃは、側壁１１の内壁面に接する矩形孔であり、裏カバー２の裏面に貫通する。
【００２１】
図４に示すように、上記裏カバー２には上述したアンテナ９、静電容量センサ４、および押しボタンスイッチ２１が搭載される。この実施の形態において押しボタンスイッチ２１は施錠スイッチとして利用され、裏カバー２の後端部に装着される。押しボタンスイッチ２１を固定するために、裏カバー２には後方に向けて開放されるＬ字形状の係止片２ｄが形成され、押しボタンスイッチ２１は、裏カバー２の後方開口部から前方にスライドさせることにより両肩部２１ａを係止片２ｄに弾発係止させて装着される。
【００２２】
後端から前端まで引き出される押しボタンスイッチ２１のケーブル２１ｂは、表カバー１の連結操作時の噛み込み等を防止するために、側壁１１と側壁１１に沿って適宜位置に突設されるケーブル止め用突部２ｅとの間に挟まれて布線される。
【００２３】
一方、静電容量センサ４は図外の回路基板を収容したセンサ本体４ａの側壁１１から絶縁被覆電極５を突出させて形成される。絶縁被覆電極５を覆う絶縁材料はセンサ本体４ａ部をも覆って、全体が一体とされる。この静電容量センサ４は、センサ本体４ａと絶縁被覆電極５とが等幅で、かつ、底壁１０が同一面になるように形成され、上記電極装着溝８に嵌合され、粘着テープ等を使用して固定される。また、アンテナ９は静電容量センサ４とほぼ等幅に形成され、絶縁被覆電極５上に接着される。
【００２４】
上記表カバー１は、裏面方向に開口される嵌合凹部１２を中央部に有してＵ字状断面形状に形成され、前端部にヒンジ舌片１７を、後端部に操作突部１９を備える。また、表カバー１の後端部には、押しボタンを露出させるためのボタン用開口１ａが開設される。図２に示すように、嵌合凹部１２は裏カバー２が連結界面での隙間が可及的に発生することなく嵌合可能な幅寸法で、かつ、嵌合状態において、裏カバー２の側壁１１を全高にわたって覆う深さに形成される。裏カバー２の側壁１１は、表カバー１との連結界面が可及的に長くなり、結果、側壁１１の頂面が静電容量センサ４の絶縁被覆電極５から可及的に離隔するように十分な高さ寸法を有するように形成される。
【００２５】
また、表カバー１には上記裏カバー２の側壁１１に形成される段差部１５に係止する細管形成用突条１４が突設される。図５(ａ)に示すように、細管形成用突条１４は、裏カバー２のセンサ収容領域２５のほぼ全長にわたって形成される。
【００２６】
上記表裏カバー１、２の連結は、裏カバー２の後端から突設される係止突起２ａを表カバー１の後端部に係止させた後、係止突起２ａ周りに表カバー１を回転させて表裏カバー１、２の前端部を合致させ、次いで、ネジ挿通孔２４を挿通する連結ネジ２３を表カバー１にねじ込んで行われる。図２に示すように、表裏カバー１、２の連結に際し、アンテナ９表面と表カバー１の裏面と間にはコンパウンド材２６が介装され、がたつき、積層方向の相互の密着状態の維持がなされる。
【００２７】
表裏カバー１、２を連結することによって、側面、および表面の外壁面が表カバー１により、背面の外壁面が裏カバー２により形成され、排水口２ｃを経由して外部に開放される中空状のアウトサイドハンドルが形成される。図２（ｂ）、図５に示すように、グリップ領域において、中空部３はアンテナ９、あるいは静電容量センサ４を隔壁として２本に区画され、前後端部において排水口２ｃに連通する中央排水路７が形成される。
【００２８】
また、図２（ｂ）、（ｃ）、（ｄ）に示すように、表裏カバー１、２の連結状態において、裏カバー２の側壁１１の頂面と表カバー１の表面壁内壁との間には適宜の間隙が設定され、シール用細管部６が形成される。図２（ｂ）に示すように、センサ収容領域２５においてシール用細管部６は細管形成用突条１４により中空部３から隔離されており、前後両端部において排水口２ｃに連通する。図５（ａ）にシール用細管部６の位置をハッチングを施して示す。なお、シール用細管部６と細管形成用突条１４との関係についての理解を容易にするために、シール用細管部６の位置は、左側のみを示す。さらに、図５（ｂ）にシール用細管部６、中央排水路７、および排水口２ｃの位置を示す。
【００２９】
したがってこの実施の形態において、車両のドア１６に装着した状態で静電容量センサ４の絶縁被覆電極５はアウトサイドハンドルの背面壁に沿って配置される。利用者がアウトサイドハンドルのグリップ領域に手をかけ、直近に配置された静電容量センサ４により検出されると、アンテナ９から利用者の所持する携帯器に向けてＩＤ要求信号が出力され、携帯器からの応答信号に含まれるＩＤ信号に対する認証が成立すると、ドアロック装置１８が解錠される。
【００３０】
雨天時等に表裏カバー１、２の連結境界から浸入した水は、まず、シール用細管部６においてブロックされ、さらに中空部３内に親水した場合には、排出口から速やかにアウトサイドハンドル外部に排水され、水による静電容量センサ４の誤動作が防止される。
【図面の簡単な説明】
【００３１】
【図１】本発明を示す図で、（ａ）は正面図、（ｂ）は平面図である。
【図２】操作ハンドルの断面図で、（ａ）は図１（ａ）の２Ａ-２Ａ線断面図、（ｂ）は図２（ａ）の２Ｂ-２Ｂ線断面図、（ｃ）は組立状態における図４の２Ｃ-２Ｃ線断面図、（ｄ）は組立状態における図４の２Ｄ-２Ｄ線断面図である。
【図３】表裏カバーを示す分解斜視図で、（ａ）は表面側から見た図、（ｂ）は背面側から見た図である。
【図４】裏カバーを示す図である。
【図５】表カバーを示す図で、（ａ）は背面図、（ｂ）は正面図である。
【符号の説明】
【００３２】
１        表カバー
２        裏カバー
３        中空部
４        静電容量センサ
５        絶縁被覆電極
６        シール用細管部
７        中央排水路
８        電極装着溝
９        アンテナ
１０      底壁
１１      側壁
１２      嵌合凹部
１３      Ｕ字断面部
１４      細管形成用突条
１５      段差部
【図１】
2010100993.tif 000003
【図２】
2010100993.tif 000004
【図３】
2010100993.tif 000005
【図４】
2010100993.tif 000006
【図５】
2010100993.tif 000007